(57)【特許請求の範囲】
【請求項１】
電子メール配信装置に、
配信を行う電子メールのメール文中に挿入する所定内容の文書と配信数に対してこの所定内容の文書を挿入する電子メールの数の割合を示すものであって、前記所定内容の文書を前記電子メールに挿入するための総予算に基づいて設定される出現率とを示すデータが保存されるデータベースと、
配信する電子メールのメール文中に所定内容の文書の挿入位置および挿入される所定内容の文書を指定する識別符号が付与されているか否かを検出する識別符号検出手段と、
この識別符号検出手段によって電子メールのメール文中に付与された識別符号が検出されたときにこの検出された識別符号によって指定される所定内容の文書について前記データベースを検索してこの所定内容の文書に対して設定された前記出現率を示すデータを検出する出現率検出手段と、
この出現率検出手段によって検出された所定内容の文書の出現率を示すデータに基づいてこの出現率に対応する数の電子メールを配信のために準備された複数の電子メールの内から任意に選択する電子メール選択手段と、
この電子メール選択手段によって選択された電子メールのメール文中の前記識別符号が付与されている位置にこの識別符号によって指定された所定内容の文書データを前記データベースから読み出して挿入する挿入手段と、
この挿入手段によって所定内容の文書が挿入された電子メールを前記電子メール選択手段によって選択されなかった電子メールとともに配信する電子メール配信手段と、
を備えていることを特徴とする電子メール配信システム。
【請求項２】
前記所定内容の文書が広告文書である請求項１に記載の電子メール配信システム。
【請求項３】
前記所定内容の文書がアンケート募集の文書である請求項１に記載の電子メール配信システム。
【請求項４】
前記所定内容の文書が懸賞募集の文書である請求項１に記載の電子メール配信システム。
【請求項５】
前記電子メール選択手段による所定内容の文書の挿入を行う電子メールの選択が、配信のために用意された電子メールのなかから無作為に行われる請求項１に記載の電子メール配信システム。
【請求項６】
電子メールを複数の宛先に配信する電子メール配信装置に装備される記録媒体であって、
配信する電子メールのメール文中に所定内容の文書の挿入位置および挿入される所定内容の文書を指定する識別符号が付与されているか否かを検出する識別符号検出手順と、
電子メールのメール文中に挿入する所定内容の文書と配信数に対してこの所定内容の文書を挿入する電子メールの数の割合を示すものであって、前記所定内容の文書を前記電子メールに挿入するための総予算に基づいて設定される出現率とを示すデータが保存されたデータベースに対して、前記識別符号検出手順において電子メールのメール文中に付与された識別符号が検出されたときにこの検出された識別符号によって指定される所定内容の文書について検索を行ってこの所定内容の文書に対して設定された前記出現率を示すデータを検出する出現率検出手順と、
この出現率検出手順によって検出された所定内容の文書の出現率を示すデータに基づいてこの出現率に対応する数の電子メールを配信のために準備された複数の電子メールの内から任意に選択する電子メール選択手順と、
この電子メール選択手順において選択された電子メールのメール文中の前記識別符号が付与されている位置にこの識別符号によって指定された所定内容の文書データを前記データベースから読み出して挿入する挿入手順と、
この挿入手順によって所定内容の文書が挿入された電子メールを前記電子メール選択手順において選択されなかった電子メールとともに配信する電子メール配信手順と
を含む電子メール配信用プログラムが格納されている
ことを特徴とする電子メール配信用記録媒体。
【請求項７】
前記電子メール選択手順において、所定内容の文書の挿入を行う電子メールの選択を、配信のために用意された電子メールのなかから無作為に行う請求項６に記載の電子メール配信用記録媒体。
【発明の詳細な説明】
【０００１】
【発明の属する技術分野】
この発明は、電子メールに広告等の所要の内容の文書を挿入して複数の宛先に配信する電子メール送信システム、および、この複数の宛先に配信される電子メールに広告等の所要の内容の文書を挿入するためのプログラムが格納された電子メール配信用記録媒体に関する。
【０００２】
【発明が解決しようとする課題】
電子メールの配信サービスを行う電子メール配信業者は、電子メールを任意の複数の宛先に配信する際に、配信を行う電子メール内に、広告主からの依頼によってその広告主のＷｅｂページにアクセスするためのＵＲＬが埋め込まれたハイパリンクなどを含む広告用の文書を挿入するサービスを行うことによって、その広告収入を得ている。
【０００３】
このような電子メール配信業者による電子メールへの広告文書の挿入は、例えば、顧客データベースから読み出された複数のメールアドレスがそれぞれ付された配信用メール文書内の任意の位置に広告挿入タグを設けることによって、コンピュータ・プログラムによる処理により自動的に行われている。
【０００４】
しかしながら、このような電子メール配信業者が電子メールの配信サービスを行う際に、広告主における予算の関係などによって電子メールの配信数に対して広告予算が少なく、電子メール配信業者が配信する電子メールの全てに広告主に依頼された広告文書を挿入することが出来ない場合がある。
【０００５】
従来、このような場合には、その広告主からの広告依頼を断るか、配信数が広告予算に見合った電子メールにのみ広告文章の挿入を行うしかなく、電子メール配信業者において、広告収入の増加を図る上で、予算の少ない広告依頼に対してどのように対応するかが長年の課題になっている。
【０００６】
また、このような問題は、電子メールに広告文書を挿入して配信する場合に限らず、依頼によって電子メール中にアンケートを実施するための文書を挿入したり、その他、依頼された様々な文書を挿入する場合に発生する。
【０００７】
この発明は、上記のような同時発送される複数の電子メールに、依頼による所要の内容の文書を挿入する際の問題点を解決するために為されたものである。
【０００８】
すなわち、電子メールに所要の内容の文書を挿入するための予算が電子メールの配信数に対して不足する場合にも、その予算に見合った所要の内容の文書の挿入を行うことが出来る電子メール配信システムを提供することを第１の目的としている。
【００１０】
さらに、この発明は、前記第１の目的を達成する電子メール配信システムに使用される電子メール配信用記録媒体を提供することを第２の目的としている。
【００１１】
【課題を解決するための手段】
第１の発明による電子メール配信システムは、上記第１の目的を達成するために、電子メール配信装置に、配信を行う電子メールのメール文中に挿入する所定内容の文書と配信数に対してこの所定内容の文書を挿入する電子メールの数の割合を示すものであって、前記所定内容の文書を前記電子メールに挿入するための総予算に基づいて設定される出現率とを示すデータが保存されるデータベースと、配信する電子メールのメール文中に所定内容の文書の挿入位置および挿入される所定内容の文書を指定する識別符号が付与されているか否かを検出する識別符号検出手段と、この識別符号検出手段によって電子メールのメール文中に付与された識別符号が検出されたときにこの検出された識別符号によって指定される所定内容の文書について前記データベースを検索してこの所定内容の文書に対して設定された前記出現率を示すデータを検出する出現率検出手段と、この出現率検出手段によって検出された所定内容の文書の出現率を示すデータに基づいてこの出現率に対応する数の電子メールを配信のために準備された複数の電子メールの内から任意に選択する電子メール選択手段と、この電子メール選択手段によって選択された電子メールのメール文中の前記識別符号が付与されている位置にこの識別符号によって指定された所定内容の文書データを前記データベースから読み出して挿入する挿入手段と、この挿入手段によって所定内容の文書が挿入された電子メールを前記電子メール選択手段によって選択されなかった電子メールとともに配信する電子メール配信手段とを備えていることを特徴としている。
【００１２】
この第１の発明による電子メール配信システムは、ダイレクトメールなどの電子メールを複数のクライアントに配信するサービスを行っている電子メール配信業者等において、広告主からの依頼によって電子メールに広告文書を挿入して配信する場合や、他の業者からの依頼によってアンケート募集や懸賞募集などの所定内容の文書を電子メールに挿入して配信する場合に適用される。
【００１３】
この電子メール配信システムは、電子メール配信装置のデータベースに、あらかじめ、電子メールのメール文中に挿入するための広告文書等の所定内容の文書と、配信する電子メールの数に対して広告文書等を挿入する電子メールの数の割合を示すものであって、広告文書等を電子メールに挿入するための総予算に基づいて設定される出現率とを示すデータを保存しておいて、電子メールの配信を行う際に、コンピュータ・プログラムの手順にしたがって、識別符号検出手段により、その配信対象の電子メールのメール文をスキャンして、そのメール文中に広告等の所定内容の文書の挿入位置とこの挿入位置に挿入される広告文書等を指定するタグ等の識別符号が付与されているか否かを検出する。
【００１４】
そして、電子メールのメール文中に識別符号が付与されていることが検出されると、出現率検出手段によって、検出された識別符号によって指定されている挿入対象の広告文書等についてデータベースの検索を行って、この挿入対象の広告文書等に対して設定されている出現率を示すデータの検出を行う。
【００１５】
次に、この検出された出現率に基づいて、電子メール選択手段により、電子メールの配信を行う宛先別に作成された複数の電子メールの中から、出現率に対応する数の電子メールを例えばランダム関数などの利用によって任意に選択し、さらに挿入手段によって、電子メール選択手段により選択された電子メールのメール文中の識別符号が付されている位置に、データベースから読み出されたその識別符号によって指定された広告等の文書データを挿入する。
【００１６】
この後、電子メール配信手段によって、メール文中に広告等の所定内容の文書が挿入された電子メールと電子メール選択手段によって選択されずメール文中に広告等の所定内容の文書が挿入されなかった電子メールとを、それぞれの宛先に配信する。
【００１７】
以上のように、上記第１の発明によれば、電子メールの配信サービスを行っている電子メール配信業者において、配信する電子メールのメール文中に例えば広告主からの依頼による広告文書等の所定内容の文書を挿入するような場合に、その所定内容の文書を電子メールに挿入して配信するための予算が、その所定内容の文書を配信が予定されている全ての電子メールに対して挿入するのに必要な金額よりも少ないような場合でも、その所定内容の文書の電子メールへの挿入を断念すること無く、予算に見合った数の電子メールへの挿入を行って配信することが出来るようになる。
【００１８】
第２の発明による電子メール配信システムは、前記第１の目的を達成するために、第１の発明の構成に加えて、前記所定内容の文書が広告文書であることを特徴としている。
【００１９】
この第２の発明による電子メール配信システムによれば、電子メールのメール文中に広告のための文書の挿入を行う際に、この広告文書の電子メールへの挿入が、その電子メールの総配信数に対して広告予算に対応した数の電子メールに対してのみ、自動的に行われる。
【００２０】
第３の発明による電子メール配信システムは、前記第１の目的を達成するために、第１の発明の構成に加えて、前記所定内容の文書がアンケート募集の文書であることを特徴としている。
【００２１】
この第３の発明による電子メール配信システムによれば、電子メールのメール文中にアンケートを募集する文書の挿入を行う際に、このアンケート文書の電子メールへの挿入が、その電子メールの総配信数に対してアンケート募集のための予算に対応した数の電子メールに対してのみ、自動的に行われる。
【００２２】
第４の発明による電子メール配信システムは、前記第１の目的を達成するために、第１の発明の構成に加えて、前記所定内容の文書が懸賞募集の文書であることを特徴としている。
【００２３】
この第４の発明による電子メール配信システムによれば、電子メールのメール文中に懸賞募集の文書の挿入を行う際に、この懸賞募集の文書の電子メールへの挿入が、その電子メールの総配信数に対して懸賞募集のための予算に対応した数の電子メールに対してのみ、自動的に行われる。
【００２６】
第５の発明による電子メール配信システムは、前記第１の目的を達成するために、第１の発明の構成に加えて、前記電子メール選択手段による所定内容の文書の挿入を行う電子メールの選択が、配信のために用意された電子メールのなかから無作為に行われることを特徴としている。
【００２７】
この第５の発明による電子メール配信システムによれば、電子メール選択手段によって行われる所定文書の挿入を行う電子メールの選択が、例えばランダム関数などの利用によって無作為に行われ、これによって、所定文書の電子メールへの挿入が偏って行われるのが防止される。
【００４５】
第６の発明による電子メール配信用記録媒体は、前記第２の目的を達成するために、電子メールを複数の宛先に配信する電子メール配信装置に装備される記録媒体であって、配信する電子メールのメール文中に所定内容の文書の挿入位置および挿入される所定内容の文書を指定する識別符号が付与されているか否かを検出する識別符号検出手順と、電子メールのメール文中に挿入する所定内容の文書と配信数に対してこの所定内容の文書を挿入する電子メールの数の割合を示すものであって、前記所定内容の文書を前記電子メールに挿入するための総予算に基づいて設定される出現率とを示すデータが保存されたデータベースに対して、前記識別符号検出手順において電子メールのメール文中に付与された識別符号が検出されたときにこの検出された識別符号によって指定される所定内容の文書について検索を行ってこの所定内容の文書に対して設定された前記出現率を示すデータを検出する出現率検出手順と、この出現率検出手順によって検出された所定内容の文書の出現率を示すデータに基づいてこの出現率に対応する数の電子メールを配信のために準備された複数の電子メールの内から任意に選択する電子メール選択手順と、この電子メール選択手順において選択された電子メールのメール文中の前記識別符号が付与されている位置にこの識別符号によって指定された所定内容の文書データを前記データベースから読み出して挿入する挿入手順と、この挿入手順によって所定内容の文書が挿入された電子メールを前記電子メール選択手順において選択されなかった電子メールとともに配信する電子メール配信手順とを含む電子メール配信用プログラムが格納されていることを特徴としている。
【００４６】
この第６の発明による電子メール配信用記録媒体は、電子メール配信システムの電子メール配信装置に装着されて、格納している電子メール配信用プログラムが起動されることにより、電子メールへの広告等の所定内容の文書の挿入およびその電子メールの配信処理を自動で行う。
【００４７】
すなわち、電子メール配信装置のデータベースに、あらかじめ、電子メールのメール文中に挿入するための広告文書等の所定内容の文書と、配信する電子メールの数に対して広告文書等を挿入する電子メールの数の割合を示すものであって、広告文書等を電子メールに挿入するための総予算に基づいて設定される出現率とを示すデータを保存しておいて、電子メールの配信を行う際に、この電子メール配信装置に装着された電子メール配信用記録媒体に格納されている電子メール配信用プログラムが起動されると、この電子メール配信用プログラムの手順にしたがい、識別符号検出手順において、その配信対象の電子メールのメール文をスキャンして、そのメール文中に広告等の所定内容の文書の挿入位置とこの挿入位置に挿入される広告文書等を指定するタグ等の識別符号が付与されているか否かを検出する。
【００４８】
そして、電子メールのメール文中に識別符号が付与されていることが検出されると、出現率検出手順において、検出された識別符号によって指定されている挿入対象の広告文書等についてデータベースの検索を行って、この挿入対象の広告文書等に対して設定されている出現率を示すデータの検出を行う。
【００４９】
次に、電子メール選択手順において、検出された出現率に基づいて、電子メールの配信を行う宛先別に作成された複数の電子メールの中から、出現率に対応する数の電子メールを例えばランダム関数などの利用によって任意に選択し、さらに挿入手順において、選択されている電子メールのメール文中の識別符号が付されている位置に、データベースから読み出されたその識別符号によって指定された広告等の文書データを挿入する。
【００５０】
この後、電子メール配信手順において、メール文中に広告等の所定内容の文書が挿入された電子メールと選択されずメール文中に広告等の所定内容の文書が挿入されなかった電子メールとを、それぞれの宛先に配信する。
【００５１】
以上のように、上記第６の発明によれば、格納している電子メール配信用プログラムの起動によって、配信する電子メールのメール文中に例えば広告主からの依頼による広告文書等の所定内容の文書を挿入するような場合に、その所定内容の文書を電子メールに挿入して配信するための予算が、その所定内容の文書を予定されている全ての電子メールに対して挿入するのに必要な金額よりも少ないような場合でも、その所定内容の文書の電子メールへの挿入を断念すること無く、予算に見合った数の電子メールに挿入を行って配信することが出来るようになる。
【００５２】
第７の発明による電子メール配信用記録媒体は、前記第２の目的を達成するために、第６の発明の構成に加えて、前記電子メール選択手順において、所定文書の挿入を行う電子メールの選択を、配信のために用意された電子メールのなかから無作為に行うことを特徴としている。
【００５３】
この第６の発明による電子メール配信用記録媒体によれば、電子メール選択手順において行われる所定文書の挿入を行う電子メールの選択が、例えばランダム関数などの利用によって無作為に行われ、これによって、所定文書の電子メールへの挿入が偏って行われるのが防止される。
【００５４】
【発明の実施の形態】
以下、この発明の最も好適と思われる実施の形態について、図面を参照しながら詳細に説明を行う。
【００５５】
なお、この発明による電子メール配信システムは、電子メール配信業者が広告主からの依頼によって電子メールに広告文書を挿入して配信する場合のほか、他の業者からの依頼によってアンケート募集や懸賞募集などのあらゆる内容の文書を電子メールに挿入する場合に適用することが出来るが、以下においては、この発明を、電子メール配信業者が配信を行う電子メールに広告主からの依頼によって広告文書を挿入する場合を例に挙げて説明を行う。
【００５６】
図１は、この発明による電子メール配信システムの実施形態の一例を示すシステム構成図である。
【００５７】
この図１において、電子メール配信システムＳは、電子メールの配信サービスを行う電子メール配信業者の事業所内に構築されていて、電子メールの配信操作を行うオペレータが操作するユーザ端末機１０に、電子メールの配信サービスを行う顧客情報が蓄積される顧客データベース１０Ａと、メール本文データが蓄積される文書データベース１０Ｂと、電子メールに挿入する広告文書データおよびその広告文書データに対して設定される出現率を示すデータが蓄積される広告データベース１０Ｃとが備えられている。
【００５８】
この広告文書データに対して設定される出現率とは、電子メールの配信数に対して広告を挿入する電子メールの数の割合を示す数字であり、広告主から電子メール配信業者に支払われる広告費に基づいて設定される。
【００５９】
例えば、電子メールの配信数が１万通である場合に、広告主から電子メール配信業者に支払われる広告費がその半分である５千通分しか無い場合には、出現率は５０パーセントと設定される。
【００６０】
そして、この端末機１０は、ＬＡＮによってメールサーバ１１に接続され、このメールサーバ１１を介してインターネットＩに接続されて、各クライアント端末機Ｔに電子メールの配信を行うようになっている。
【００６１】
図２は、広告データベース１０Ｃに構成される広告分およびその出現率を記録するためのテーブルである。
【００６２】
この図２において、この広告データベース１０Ｃに構成されるテーブルＦには、広告主から広告依頼された広告ごとの名称を示すデータが記録される広告名称欄Ｆａと、広告の文章データと必要に応じて広告文内に埋め込まれる広告主のＷｅｂページのＵＲＬを示すハイパリンク・データが記録される広告文欄Ｆｂと、前述したように広告費に対応して設定される広告の出現率を示すデータが記録される出現率欄Ｆｃとが設けられている。
【００６３】
上記電子メール配信システムＳは、ユーザ端末機１０のハードディスクやＣＤ−ＲＯＭドライブに装填されるＣＤ−ＲＯＭなどの記録媒体に格納された電子メール配信用アプリケーション・プログラムに従って、配信のために作成した電子メールに広告を挿入してその電子メールの配信を行うための手順を実行する。
【００６４】
図３は、上記電子メール配信システムＳにおいて、配信のために作成された電子メールに広告が挿入される際の態様を示す概念図である。
【００６５】
この図３中、電子メールＥＭは、メールアドレスが記録されるヘッダ部分ＥＭａと、メール文が記録されるメール本文部分ＥＭｂとから構成され、電子メール配信システムＳにおいて、ユーザ端末機１０（図１参照）にオペレータが顧客データの検索条件を入力して顧客データベース１０Ａの検索を行い、この顧客データベース１０Ａに登録されている顧客のなかから、配信を行う電子メールの内容に適合する顧客の顧客データファイルが、検索条件の組み合わせによってその検索数が電子メールの配信予定数とほぼ同数になるように調整されて読み出されて、この読み出された各顧客データファイルに基づいて、文書データベース１０Ｂから読み出されたりまたはユーザ端末機１０において新たに作成されたメール文のデータに各顧客のメールアドレス・データが付加されることにより作成される。
【００６６】
この作成された電子メールＥＭのメール本文部分ＥＭｂには、その任意の位置に、その位置に挿入される広告文書を指定する広告挿入タグＴｇが挿入されている。
【００６７】
そして、この電子メールＥＭへの広告文書の挿入は、電子メール配信用アプリケーション・プログラムにしたがって、作成された電子メールＥＭのうち、例えばランダム関数などに基づいて、挿入対象の広告文書に設定された出現率に応じて任意に選択された電子メールＥＭに対して行われる。
【００６８】
すなわち、電子メール配信用アプリケーション・プログラムに基づいて、上記のようにして広告文書の挿入を行う電子メールＥＭが選択されると、この選択された電子メールＥＭ（例えば、広告文書に設定された出現率が５０パーセントで電子メールＥＭの総配信数が１万通である場合に、５千通の電子メールＥＭ）のメール本文部分ＥＭｂ中の広告挿入タグＴｇの認識が行われ、この広告挿入タグＴｇに対して、広告データベース１０ＣのテーブルＦの広告文欄Ｆｂ（図２参照）から読み出された広告挿入タグＴｇに対応する広告文書が挿入される。
【００６９】
なお、この電子メールＥＭ中に広告挿入タグＴｇが複数ある場合には、それぞれの広告挿入タグＴｇに対応する広告文書に設定された出現率に応じて、広告文書の挿入を行う電子メールＥＭの選択が繰り返されて、電子メールＥＭへの広告文書の挿入が行われる。
【００７０】
図４は、電子メール配信システムＳにおいて、電子メール配信アプリケーション・プログラムの実行によって行われる電子メールＥＭへの広告文書の挿入の手順を示すフローチャートである。
【００７１】
この図４において、ユーザ端末機１０におけるオペレータの操作にしたがって、配信を行う宛先別の電子メールＥＭがその配信数だけ作成されると、先ず、その電子メールＥＭのメール本文部分ＥＭｂをその文頭から順に検索して（ステップｓ１）、そのメール本文部分ＥＭｂに広告挿入タグＴｇが設定されているか否かの検出を行う（ステップｓ２）。
【００７２】
このステップｓ２において、電子メールＥＭ中に設定されている広告挿入タグＴｇが検出された場合には、次に、その広告挿入タグＴｇに対応する広告文書データを広告データベース１０ＣのテーブルＦから読み出す（ステップｓ３）。
【００７３】
そして、この読み出された広告文書データに設定されている広告の出現率を示すデータに基づいて、配信を行う宛先別の電子メールＥＭの中から広告文書の挿入を行う電子メールＥＭを無作為に選択し（ステップｓ４）、この選択された電子メールＥＭに対してのみ、ステップｓ３において広告データベース１０Ｃから読み出されている広告文書データを挿入する（ステップｓ５）。
【００７４】
この後、電子メールＥＭのメール本文部分ＥＭｂの残りの部分について広告挿入タグＴｇの検索を続行し（ステップｓ６）、さらに広告挿入タグＴｇが設定されているか否かの検出を行う（ステップｓ７）。
【００７５】
そして、このステップｓ７において、メール本文部分ＥＭｂ中にさらに他の広告挿入タグＴｇが検出された場合には、上述したステップｓ３からｓ５の手順を繰り返すことにより、この新たに検出された広告挿入タグＴｇに対応する広告の出現率に基づいて選択された電子メールＥＭのメール本文部分ＥＭｂ中への広告文書データの挿入を行う。
【００７６】
以上のようにして、広告挿入タグＴｇの検索が電子メールＥＭのメール本文部分ＥＭｂの文末まで行われて、必要な広告文書データの挿入が終わると、ユーザ端末機１０は、一連の広告挿入処理を終了して次の電子メール配信工程に移行することにより、メールサーバ１１（図１参照）を介して各クライアント端末機Ｔ宛の電子メールＥＭの配信を実行する。
【図面の簡単な説明】
【図１】この発明による電子メール配信システムの実施形態における一例を示すシステム構成図である。
【図２】同例において広告データベースの構造の一例を示すテーブル構造図である。
【図３】同例において電子メールへの広告文書の挿入の態様の一例を示す概念図である。
【図４】同例における電子メールへの広告文書の挿入手順の一例を示すフローチャートである。
【符号の説明】
１０      …ユーザ端末機（電子メール配信装置）
１０Ａ    …顧客データベース（メール受信者データベース）
１０Ｂ    …文書データベース
１０Ｃ    …広告データベース（データベース）
１１      …メールサーバ
Ｔ        …クライアント端末機
Ｆ        …テーブル
Ｆａ      …広告名称欄
Ｆｂ      …広告文欄
Ｆｃ      …出現率欄
ＥＭ      …電子メール
ＥＭａ    …ヘッダ部分
ＥＭｂ    …メール本文部分
Ｔｇ      …広告挿入タグ（識別符号）
【図１】
0004232886.tif 000002
【図２】
0004232886.tif 000003
【図３】
0004232886.tif 000004
【図４】
0004232886.tif 000005